(57)【要約】      （修正有）【課題】高層の構造物に用いられ、作業の進行に伴って、より高い位置に迫り上げられるクレーン類において、クレーン類を設置している、構造物の開口部内にて降雨を集水し開口部外へ排出するための装置として、構造物の開口部を完全に覆って降りかかる雨水を確実に捕集することができ、かつ、階ごとの排水対策を著しく容易にするクレーン類の雨仕舞いを提供する。【解決手段】構造物の開口部１２よりも大きい形状及び面積に広げられ、かつ、上記開口部よりも小さい大きさに縮められる止水シート１６と、上記の止水シートを広げた状態に保つ広げ部材２０と、上記広げ部材を、クレーン類の下部ブロックに取り付ける取り付け部材と、止水シート上に溜まった雨水を排水するために、シート面に開けた排水口及び止水シートの排水口に下面にて取り付けた排水口部材２９を具備して構成する。【選択図】図３
0003168812.tif 000002
【実用新案登録請求の範囲】
【請求項１】
高層の構造物に用いられ、作業の進行に伴って、より高い位置に迫り上げられるクレーン類において、クレーン類を設置している、構造物の開口部内にて降雨を集水し開口部外へ排出するための装置であって、
構造物の開口部よりも大きい形状及び面積に広げられ、かつ、上記開口部よりも小さい大きさに縮められる止水シートと、
上記の止水シートを広げた状態に保つ広げ部材と、
上記広げ部材を、クレーン類の下部ブロックに取り付ける取り付け部材と、
止水シート上に溜まった雨水を排水するために、シート面に開けた排水口
及び止水シートの排水口に下面にて取り付けた排水口部材を具備して構成された
クレーン類における雨仕舞い装置。
【請求項２】
広げ部材は、構造物の開口部を通過可能な大きさを有する枠体と、枠体の周縁部から外方へ出没可能であり、外方へ突き出たときに構造物の開口部よりもやや外側に達し、没入したときには上記開口部の内側におさまるように設けられて、止水シートの周縁部を広げる複数個の出没アームと、出没アームと止水シートの周縁部を結合する結合部とから成る請求項１記載のクレーン類における雨仕舞い装置。
【請求項３】
止水シートの排水口部材には、排水パイプの一端を取り付けるとともに、排水パイプの他端は、構造物に設けられた排水系路に接続される
請求項１記載のクレーン類における雨仕舞い装置。
【考案の詳細な説明】
【技術分野】
【０００１】
本考案は、高層の構造物に用いられるクレーン類において、クレーン類を設置している構造物の開口部に降る雨水を集めて開口部外へ排出するためのクレーン類における雨仕舞い装置に関するものである。
【背景技術】
【０００２】
クレーンには、高層の構造物に用いられ、作業の進行に伴って、より高い位置に迫り上げるクライミングクレーンというタイプのクレーン迫り上げ方式がある。図面を参照して説明すると、初回組立状態において、基礎フロアｂに伸縮架台ｃが据え付けられ、そのマストｄの上端にクレーン本体ａが設置されており（図１０Ａ）、この状態にて所定の工事が行なわれる。所定の工事を完了すると、より上位の階にベル受け構台ｆを設置してクレーン本体ａを預け（図１０Ｂ）、次いで昇降機ｅを駆動することにより、伸縮架台ｃが予定階（図１１Ａでは５Ｆ）に達するまで、マストｄを迫り上げるとともに、当該階５Ｆに伸縮架台ｃを据え付け（マストクライミング）、さらに昇降機ｅを駆動してクレーン本体ａを迫り上げる（図１１Ａ：クレーン本体のクライミング）という工程が繰り返される。
【０００３】
クライミングクレーンでは、上記のクレーンを設置する構造上、構造物に開口部ｇが形成されることになる。この開口部ｇは構造物が完成すればその一部となるが、工事中はクレーンのクライミングを行うために不可欠である。しかし、工事期間中、降雨は開口部ｇから構造物の内部に降りかかるので、何らかの排水対策を施す必要がある。これまでも、排水対策はなされていたが、従来の方法では、防水シートを張り直し、かつ、排水経路と接続し直すなどの作業を、工事の進捗とともに階ごとに実施しなければならないため、非常に手数が掛かるという問題があった。
【０００４】
なお、クレーンのクライミングに関しては、特開２００２−１１４４８５号がある。同号の考案では、開口部である駄目穴の塞ぎには手間が増えるばかりか、雨天時には雨水が流れ込んで仕上げ工事の支障になることが多いと記載され、ベル部に構台を常設するという構成を取るが、この発明のタワークレーンでは、フロアクライミングにおいて架台の設置階高の制限を受けず、従って、架台の盛り替えがこれまでよりも早くなるので、フロアコンクリートの打設に際する架台の設置個所の駄目穴もなくなると記載されている。しかしながら、架台の盛り替えが単に早くなるだけでは降雨の降りかかる時間が短縮されるに過ぎず、盛り替えに手間取ることも考えられるから排水対策として十分ではない。
【０００５】
【特許文献１】特開２００２−１１４４８５号
【考案の開示】
【考案が解決しようとする課題】
【０００６】
本考案は前記の点に着目してなされたもので、その課題は、構造物の開口部を完全に覆って降りかかる雨水を確実に捕集することができ、かつ、階ごとの排水対策を著しく容易にするクレーン類における雨仕舞い装置を提供することである。また、本考案の他の課題は、現に使用されているクライミングクレーン等に、後から装着して所期の目的を達成するクレーン類における雨仕舞い装置を提供することである。
【課題を解決するための手段】
【０００７】
前記の課題を解決するため、本考案は高層の構造物に用いられ、作業の進行に伴って、より高い位置に迫り上げられるクレーン類において、クレーン類を設置している、構造物の開口部内にて降雨を集水し開口部外へ排出するための装置として、構造物の開口部よりも大きい形状及び面積に広げられ、かつ、上記開口部よりも小さい大きさに縮められる止水シートと、上記の止水シートを広げた状態に保つ広げ部材と、上記広げ部材を、クレーン類の下部ブロックに取り付ける取り付け部材と、止水シート上に溜まった雨水を排水するためにシート面に開けた排水口及び排水口に取り付けた排水口部材を具備して構成するという手段を講じたものである。
【０００８】
本考案の雨仕舞い装置は、構造物の開口部内にて降雨を集水し開口部外へ排出するものであるが、それと同時に、クレーン類のクライミングを速やかに実施することを特徴とするものである。構造物の開口部内にて降雨を集水するには、構造物の開口部よりも大きい形状及び面積に広げられる止水シートが必要であり、クレーン類とともにクライミングさせるためには、上記止水シートが、構造物の開口部を支承なく通過できる形状及び大きさに縮められることも、また、必要である。
【０００９】
そのため、本発明では構造物の開口部よりも大きい形状及び面積に広げられ、かつ、上記開口部よりも小さい形状及び面積に縮められる止水シートを、広げた状態に保つ広げ部材と、上記広げ部材を、クレーン類の下部ブロックに取り付ける取り付け部材とが必要である。このような広げ部材は、止水シートを上記の広げ状態に保つことができるだけではなく、その一方で、開口部を支承なく通過させる大きさに縮めるための手段でもあり、基本的には公知の様々な機構を適用して速やかに広げ、また、縮めることができる。
【００１０】
上記広げ部材を、クレーン類の下部ブロックに取り付ける取り付け部材としては、ワイヤーロープやチェーンなどの結合部材、シャックル、カラビナなどの連環を用いた公知の手段、方法を適用することができる。そのための取り付け相手には、クレーン類の下部ブロックに設けられている耳金の類、目玉ボルト等を利用する。
【００１１】
なお、広げ部材の具体的形態としては、構造物の開口部を通過可能な大きさを有する枠体と、枠体の周縁部から外方へ出没可能であり、外方へ突き出たときに構造物の開口部よりもやや外側に達し、没入したときには上記開口部の内側におさまるように設けられて、止水シートの周縁部を広げる複数個の出没アームと、出没アームと止水シートの周縁部を結合する結合部とから成るものであることが望ましい。枠体は開口部とほぼ相似の形状を持ち、装置の骨格として基本的な強度を負担するもので、出没部分を取り付ける基台として機能し、かつ、その大きさをより小さくする。
【００１２】
さらに、上記止水シート上に溜まった雨水を排水するために、シート面に開けた排水口及び止水シートの排水口に下面にて取り付けた排水口部材を具備して構成されている。止水シートは、例えばキャンバス（帆布）やプラスチックシートの類によって形成することができ、そのような止水シートは柔軟性と防水性を有するから、雨が降りかかれば内部に雨水を溜める湛水容器となる。このような止水シートの底部に排水口部材を取り付けるとその荷重により取り付けた部分が凹むので、湛水容器としてより使用し易くなる。
【００１３】
上記止水シートの排水口部材には、排水パイプの一端が取り付けられるとともに、排水パイプの他端は、構造物に設けられた排水系路に接続される。よって、構造物の開口部内にて集水した降雨の影響を構造物に及ぼすことなく排水処理することができる。
【考案の効果】
【００１４】
本考案は以上のように構成されかつ作用するものであるから、構造物の開口部よりも広げた止水シートにより構造物の開口部を完全に覆って、降りかかる雨水を確実に捕集することができ、かつ、止水シートは上記開口部よりも小さい大きさに縮められるので、階ごとの排水対策を著しく容易にすることができるという効果を奏する。また、本考案によれば、上記広げ部材を、クレーン類の下部ブロックに取り付けるので、現に使用されているクライミングクレーン等に、後から装着して所期の目的を達成するクレーン類における雨仕舞い装置置を提供することができる。
【考案を実施するための最良の形態】
【００１５】
以下図示の実施形態を参照して、本考案をより詳細に説明する。図１は本考案に係るクレーン類における雨仕舞い装置１０の一例を示すものである。図中１１は高層構造物の任意の階のフロア、１２はそこに形成された開口部であり、クレーン類の下部ブロック１３と受け梁１４の部分の通過が可能な大きさ及び形状を有している。なお、クレーン類は図１０に示されたタワークレーンａと同様のものである。１５は上記タワークレーンａのマスト、１２ａは開口部内壁面（図２）を示す。
【００１６】
このような構成において、クレーン類を設置している、構造物の開口部１２内にて降雨を集水し開口部外へ排出するための装置１０は、構造物の開口部１２よりも大きい形状及び面積に広げられ、かつまた、上記開口部１２よりも小さい大きさに縮められる止水シート１６を有している。図示の止水シート１６はキャンバス地から成り、その縁に沿って、図７に示したようなハトメ孔１７を一定の間隔で設けたもので、縁に沿うハトメ孔１７の全てにはシャックル型の連環１８が設けられている。１９はワイヤーロープとして示した結合部材であり、先端にはループ１９ａが設けられている。ワイヤーロープ１９については、ループ１９ａに荷締め機などと通称される牽引装置１９ｂを接続し、レバー操作で所望の緊張力を与えられるようにしておくことが望ましい（図６、図７参照）。
【００１７】
上記の止水シート１６を広げた状態に保つために、広げ部材２０が装備されている。広げ部材２０は、構造物の開口部１２を通過可能な大きさを有する枠体２１をベースとし、枠体２１の周縁部から外方へ出没可能であり、外方へ突き出たときに構造物の開口部１２よりもやや外側に達し、没入したときには上記開口部１２の内側におさまるように設けられて、止水シート１６の周縁部を広げる複数個の出没アーム２２と、この出没アーム２２と止水シート１６の周縁部を結合する結合部２３とを有している。前記の連環１８、結合部材１９及び上記の結合部２３は、後述する取り付け相手３２とともに、クレーン類の下部ブロック１３に広げ部材２０を取り付ける取り付け部材を構成している。
【００１８】
枠体２１は装置の骨格として基本的な強度を負担するもので、図示のものは開口部１２とほぼ相似の形状を有する矩形枠２１ａと、その内部に設けられた複数の補強リブ２１ｂとから成る、鋼鉄製の頑丈な構造体である（図５参照）。矩形枠２１ａの要所には、出没アーム２２の取り付け基板２４が外方へ突き出すように設けられている。上記取り付け基板２４は、構造物の開口部１２の内隅に向けて斜めに突き出した四箇所と、開口部１２の中間部分から外方へ突き出した二箇所の計六か所に設けられている。出没アーム２２と取り付け基板２４には位置決め孔２２ｄ、２４ａを設け、位置決め孔２２ｄ、２４ａにピン又はボルト（図示せず）を差し込んで固定する構成である。
【００１９】
上記出没アーム２２は、取り付け基板２４の外方部分に支軸２２ｃにより回転可能に取り付けられた基部アーム２２ｂと、基部アーム２２ｂの先端側にてスライド可能に設けられた先端アーム２２ａとから成る。各先端アーム２２ａには調節孔２５ａが複数個長手方向に形成されており、基部アーム２２ｂの先端部に配置した止め軸２５ｂを抜き差しすることで、突き出し長さを調節する構成を有している。なお、先端アーム２２ａと基部アーム２２ｂは角筒から成る、回転防止型の嵌合構造を有している。
【００２０】
上記結合部２３は、出没アーム２２の先端部に設けられるもので、特にアーム長の長い四隅の出没アーム２２には、耳金２６ａを介して補助アーム２６が二又状に設けられ、その先端の夫々に結合具２３が取り付けられている。上記補助アーム２６も折り畳み式で、突き出した状態では開いて、開口部１２の隅にある柱体２７を内側から囲むような構成である（図７参照）。図示の例における結合具２３には、止水シート１６のハトメ孔１７に設けたのと同様のシャックル型の連環が用いられている。
【００２１】
本考案の装置１０は、さらに、止水シート１６の上に溜まった雨水を排水するために、シート面に開けた排水口２８及びこの排水口２８に下面にて取り付けた排水口部材２９を具備している（図８参照）。図示の排水口部材２９は鋼板性の漏斗２９ａと排水筒２９ｂを組み合わせたもので、排水口２８部分にて止水シート１６の下面に強固に取り付けられている。
【００２２】
このような止水シート１６の排水口部材２９には、排水パイプ３０の一端を取り付けており、排水パイプ３０の他端は、構造物に設けられた排水系路３１に接続している（図９参照）。上記広げ部材２０を、クレーン類の下部ブロック１３に取り付ける取り付け部としては、前述したワイヤーロープ、チェーンなどの結合部材１９、シャックル、カラビナなどの連環１８を用いた公知の手段、方法を適用することができる。また、前記取り付け部材の一部でもある取り付け相手３２には、クレーン類の下部ブロックに設けられている耳金の類、目玉ボルト等が利用される。
【００２３】
このような構成において、本考案に係るクレーン類における雨仕舞い装置１０は、図示のフロア１１にクライミングされた、クレーン本体ａの下部ブロック１３に取り付けられており（図１）、この階にて所定の雨仕舞いが行なわれる。図１及び図２では、本案装置１０は、所定のクライミング工程を完了したが、未だ止水シート１６が展開されていない状態にあり、この状態において、下部ブロック１３に本案装置１０が結合されている。この後、結合部材１９のワイヤーロープを緩めて開口部１２より下方に降ろし、止水シート１６を構造物の開口部１２よりも大きい形状及び面積に広げる作業に入る。
【００２４】
止水シート１６を広げるには、出没アーム２２を枠体２１の外方へ突き出す位置まで、支軸２２ｃを中心に回転させるとともに、所定位置で夫々の位置決め孔２２ｄ、２４ａにピン又はボルトを差し込んで固定する（なお、止水シート１６はこの段階に至るまでに、ワイヤーロープと出没アーム２２の結合部２３を接続しておく）。基部アーム２２ｂの先端部に配置した止め軸２５ｂを適切な調節孔２５ａに抜き差しして、先端アーム２２ａの突き出し長さを調節し、この作業を六ケ所の全ての出没アーム２２について実施することで、止水シート１６を構造物の開口部１２よりも大きい形状及び面積に広げる。止水シート１６を広げた状態は、図３、図４、図６及び図９に示したとおり、結合部材１９のワイヤーロープの位置で示した止水シート１６の周縁部が、開口部１２よりも外方に位置している。
【００２５】
構造物の開口部１２よりも大きい形状及び面積に広げられた止水シート１６は、隅部に柱体２７が存在する場合、その出没アーム先端の補助アーム２６、２６が、柱体２７を内側から囲むようになるので、止水シート１６により隙間なく開口部１２を覆うことができる。かくして、開口部１２に降りこむ雨水は完全に止水シート１６に受け止められ、止水シート上に溜められ、排水口２８に取り付けた排水口部材２９から、排水パイプ３０を通じて排水系路３１に排出されることになる。
【００２６】
この間、図示のフロア１１にクライミングされたクレーンを用いて所定の工事が行なわれ、その工事を完了すると次のクライミングにより、上位の階にクレーン本体ａを迫り上げることになる。次のクライミングに先立って、出没アーム２２及びその先端の補助アーム２６、２６を畳み、当該階の開口部１２よりも小さい大きさに止水シート１６を縮め、図２の状態とするものとする。次いで昇降機ｅを駆動し、伸縮架台ｃの下部ブロック１３が予定階に達するまで、マスト１５を迫り上げるとともに、当該上の階に伸縮架台ｃを据え付けマストクライミングした後、さらに昇降機ｅを駆動してクレーン本体ａを迫り上げることによりクレーン本体ａがクライミングされる。工事完了まで以上の工程が繰り返されるが、本考案によれば、出没アーム２２及びその先端の補助アーム２６、２６を畳み、当該階の開口部１２よりも小さい大きさに止水シート１６を縮めれば良いので、クライミングに伴う段取り作業が著しく容易になり、作業性、安全性、経済性を向上させる。
【図面の簡単な説明】
【００２７】
【図１】本考案に係るクレーン類における雨仕舞い装置の一例に関するもので、止水シートを広げる前の状態を示す正面説明図である。
【図２】同上における図１のＩＩ−ＩＩ線断面図である。
【図３】同上における止水シートを広げた状態を示す正面説明図である。
【図４】同上における図３のＩＶ−ＩＶ線断面図である。
【図５】同じく止水シートを広げる前の状態を示す平面説明図である。
【図６】同じく止水シートを広げた設置状態を示す平面説明図である。
【図７】同じく止水シートの隅部と出没アームを分解して示す斜視図である。
【図８】同じく止水シートに排水口部材を取り付けた状態の斜視図である。
【図９】同じく本考案の設置状態を示す断面説明図である。
【図１０】本考案を適用するクレーンを示すもので、Ａは初回組立状態、Ｂはベル受け構台にクレーン本体を預けた状態を示す説明図である。
【図１１】本考案を適用するクレーンを示すもので、Ａはマストクライミング状態、Ｂはクレーン本体のクライミング状態を示す説明図である。
【符号の説明】
【００２８】
１０  クレーン類における雨仕舞い装置
１１  フロア
１２  開口部
１３  下部ブロック
１４  受け梁
１５  マスト
１６  止水シート
１７  ハトメ孔
１８  連環
１９  結合部材
２０  広げ部材
２１  枠体
２２  出没アーム
２３  結合部
２４  取り付け基板
２５ａ  調節孔、２５ｂ  止め軸
２６  補助アーム
２７  柱体
２８  排水口
２９  排水口部材
３０  排水パイプ
３１  排水経路
３２  取り付け相手
【図１】
0003168812.tif 000003
【図２】
0003168812.tif 000004
【図３】
0003168812.tif 000005
【図４】
0003168812.tif 000006
【図５】
0003168812.tif 000007
【図６】
0003168812.tif 000008
【図７】
0003168812.tif 000009
【図８】
0003168812.tif 000010
【図９】
0003168812.tif 000011
【図１０】
0003168812.tif 000012
【図１１】
0003168812.tif 000013